(57)【要約】【課題】センサの重複設定を防止し、設定エラーを報知することができる照明制御システムを提供する。【解決手段】明るさセン３サと、人感センサ２と、光源１１および点灯制御部１８を有する複数の照明器具１と、グループ情報が格納される記憶部１５，４３と、重複可否情報が格納される記憶部１５と、グループ情報を参照し、人感センサ２または明るさセンサ３検知結果に基づいた点灯制御信号を出力する制御部４２と、グループ情報を設定する設定部１２１と、設定エラーを報知する光源１１とを備え、設定部１２１は、グループ情報の重複設定動作を行う場合、記憶部１５に設定不可を示す重複可否情報が設定されていると、設定エラーと判断し、光源１１を点滅させる。【選択図】図１
2012069291.tif 000002
【特許請求の範囲】
【請求項１】
所定範囲の照度を検知する明るさセンサと、
所定範囲における人の在・不在を検知する人感センサと、
光源と、点灯制御信号に基づいて前記光源の点灯制御を行う点灯制御部とを有する複数の照明器具と、
各々の前記照明器具を、前記明るさセンサと前記人感センサとのうち、少なくとも一方に対応付けたグループ情報が格納される第１の記憶部と、
前記照明器具の各々を、前記明るさセンサと前記人感センサとの両方に対応付けた前記グループ情報の重複設定が可能であるか否かを示す重複可否情報が格納される第２の記憶部と、
前記第１の記憶部に格納された前記グループ情報を参照し、前記明るさセンサが対応付けられた前記照明器具に対して、前記明るさセンサの検知結果に基づいた前記点灯制御信号を出力し、前記人感センサが対応付けられた前記照明器具に対して、前記人感センサの検知結果に基づいた前記点灯制御信号を出力する制御部と、
前記第１の記憶部に対して、前記グループ情報を設定する設定部と、
前記グループ情報の設定エラーを報知する報知部とを備え、
前記設定部は、前記第１の記憶部に格納された前記グループ情報において前記明るさセンサが対応付けられた前記照明器具に対して、さらに前記人感センサを対応付ける重複設定動作を行う場合および、前記第１の記憶部に格納された前記グループ情報において前記人感センサが対応付けられた前記照明器具に対して、さらに前記明るさセンサを対応付ける重複設定動作を行う場合、前記第２の記憶部に設定不可を示す前記重複可否情報が設定されていると、前記グループ情報の設定エラーと判断し、前記報知部が前記グループ情報の設定エラーを報知することを特徴とする照明制御システム。
【請求項２】
前記明るさセンサを複数個備え、
前記設定部は、前記第１の記憶部に格納された前記グループ情報において前記明るさセンサが対応付けられた前記照明器具に対して、当該照明器具に対応付けられた前記明るさセンサと異なる前記明るさセンサを重複して対応付ける設定動作を行う場合、前記グループ情報の設定エラーと判断し、前記報知部が前記グループ情報の設定エラーを報知することを特徴とする請求項１記載の照明制御システム。
【請求項３】
前記照明器具は、前記明るさセンサまたは前記人感センサが着脱自在に装着される取り付け部を供え、
前記取り付け部に前記明るさセンサが取り付けられている場合、前記第２の記憶部に設定不可を示す前記重複可否情報が設定されることを特徴とする請求項１記載の照明制御システム。
【発明の詳細な説明】
【技術分野】
【０００１】
本発明は、照明制御システムに関するものである。
【背景技術】
【０００２】
従来、所定範囲における人の在・不在を検知する人感センサを用いて、人の不在時に指定されたエリアの照明を消灯することで、省エネルギー効果を図る照明制御システムが提供されている（特許文献１参照）。
【０００３】
図８に、従来の照明制御システムを用いた照明器具１０３の配置例を示す。図８に示すように、人感センサ１０１ａ〜１０１ｄと、所定範囲の明るさを検知する明るさセンサ１０２ａ〜１０２ｃを用いて、複数の照明器具１０３を点灯制御することができる。各人感センサ１０１ａ〜１０１ｄと各明るさセンサ１０２ａ〜１０２ｃと照明器具１０３とは、コントローラ１０４に接続されている。コントローラ１０４は図示しない記憶部を備えており、各照明器具１０３に人感センサ１０１または明るさセンサ１０２を対応付けたグループ情報を格納している。なお、照明器具１０３を個別に識別する場合、人感センサ１０１ａ〜１０１ｄに対応付けられた人感センサグループ１０１Ａに属す照明器具１０３を、照明器具１０３ｄと称す。また、明るさセンサ１０２ａ，１０２ｂ，１０２ｃに対応付けられた明るさセンサグループ１０２Ａ，１０２Ｂ，１０２Ｃに属す照明器具１０３を、照明器具１０３ａ，１０３ｂ，１０３ｃと称す。
【０００４】
そして、コントローラ１０４は、人感センサ１０１ａ〜１０１ｄの検知結果に基づいて、グループ情報を参照し、この人感センサ１０１ａ〜１０１ｄに対応付けられた照明器具１０３ｄの点灯制御を行う。
【０００５】
人感センサ１０１ａ〜１０１ｄを例えば廊下などの通路に設け、人が存在する場合に人感センサグループ１０１Ａに属する照明器具１０３ｄを点灯させることで、省エネルギー効果を得ることができる。
【０００６】
また、コントローラ１０４は、明るさセンサ１０２ａ，１０２ｂ，１０２ｃの検知結果に基づいて、この明るさセンサ１０２ａ，１０２ｂ，１０２ｃに対応付けられた照明器具１０３ａ，１０３ｂ，１０３ｃの点灯制御を行う。
【０００７】
明るさセンサ１０２ａ〜１０２ｃを例えば窓際などに設け、外光や周囲環境に応じて照明器具１０３ａ〜１０３ｃの点灯制御または調光制御することで、省エネルギー効果を得ることができる。
【先行技術文献】
【特許文献】
【０００８】
【特許文献１】特開２０１０−１７６９１２号公報
【発明の概要】
【発明が解決しようとする課題】
【０００９】
しかし、従来の照明制御システムでは、コントローラ１０４に具備された記憶部にグループ情報を設定する際に、以下の点について注意する必要があった。
【００１０】
ユーザーは、明るさセンサ１０２の近傍に設けられた照明器具１０３に対して、人感センサ１０１と明るさセンサ１０２との両方に対応付けられたグループ情報を設定しないように注意する必要がある。図９に示すように、明るさセンサ１０２ｄの近傍に設けられた照明器具１０３ｅは、明るさセンサ１０２ｄと人感センサ１０１ｅ，１０１ｆとに対応付けられて、人感センサグループ１０１Ｂと明るさセンサグループ１０２Ｄとの両方に属している。この場合、この照明器具１０３ｅが照射する光によって、明るさセンサ１０２ｄの検知結果が影響を受けるという問題がある。
【００１１】
例えば、人が不在となった場合、人感センサグループ１０１Ｂに属する照明器具１０３ｅ，１０３ｆが消灯する。このとき、明るさセンサ１０２ｄが、人感センサグループ１０１Ｂに属する照明器具１０３ｅの消灯によって暗くなったことを検知して、人が不在にもかかわらず、明るさセンサグループ１０２Ｄに属する照明器具１０３ｇの調光レベルを上げる制御を行う。これによって、外光が照射されているにも関わらず、明るさセンサグループ１０２Ｄに属する照明器具１０３ｇの調光レベルを下げることができなくなり、省エネルギー効果を得ることができなくなる。
【００１２】
また、人が存在する場合は、人感センサグループ１０１Ｂに属する照明器具１０３ｅ，１０３ｆが点灯することによって、明るさセンサ１０２ｄは明るさセンサグループ１０２Ｄに属する照明器具１０３ｅ，１０３ｇの調光レベルを下げる制御を行う。したがって、人感センサグループ１０１Ｂと明るさセンサグループ１０２Ｄとの両方に属する照明器具１０３ｅの調光レベルが安定しなくなる。すなわち、照明器具１０３ｅに対して人感センサ１０１ｅ，１０１ｆと明るさセンサ１０２ｄとの両方を対応付けるグループ情報の設定は不適切となる。
【００１３】
したがって、ユーザーは、センサを重複設定したくない照明器具１０３に対して、グループ情報を設定する際に、上記の点について注意する必要があった。
【００１４】
本発明は、上記事由に鑑みてなされたものであり、その目的は、センサを重複設定したくない照明器具に対して、センサの重複設定を防止し、設定エラーを報知することができる照明制御システムを提供することにある。
【課題を解決するための手段】
【００１５】
本発明の照明制御システムは、所定範囲の照度を検知する明るさセンサと、所定範囲における人の在・不在を検知する人感センサと、光源と、点灯制御信号に基づいて前記光源の点灯制御を行う点灯制御部とを有する複数の照明器具と、各々の前記照明器具を、前記明るさセンサまたは前記人感センサに対応付けたグループ情報および、前記明るさセンサと前記人感センサとの両方に対応付けた前記グループ情報の設定が可能であるか否かを示す重複可否情報が格納される記憶部と、前記記憶部に格納された前記グループ情報を参照し、前記明るさセンサが対応付けられた前記照明器具に対して、前記明るさセンサの検知結果に基づいた前記点灯制御信号を出力し、前記人感センサが対応付けられた前記照明器具に対して、前記人感センサの検知結果に基づいた前記点灯制御信号を出力する制御部と、前記記憶部に対して、前記グループ情報を設定する設定部と、前記グループ情報の設定がエラーであるか否かを判断する判断部と、前記グループ情報の設定エラーを報知する報知部とを備え、前記重複可否情報が不可を示しており、前記設定部が、前記記憶部に格納された前記グループ情報において、前記明るさセンサが対応付けられた前記照明器具に対して、前記人感センサを対応付ける設定動作を行う場合および、前記人感センサが対応付けられた前記照明器具に対して、前記明るさセンサを対応付ける設定動作を行う場合、前記判断部は設定エラーと判断し、前記報知部を用いて設定エラーを報知することを特徴とする。
【００１６】
この照明制御システムにおいて、前記明るさセンサは、複数個で構成されており、前記重複可否情報が不可を示しており、前記設定部が、前記記憶部に格納された前記グループ情報において、前記明るさセンサが対応付けられた前記照明器具に対して、当該照明器具に対応付けられた前記明るさセンサと異なる前記明るさセンサを対応付ける設定動作を行う場合、前記判断部は設定エラーと判断し、前記報知部を用いて設定エラーを報知することが好ましい。
【００１７】
この照明制御システムにおいて、前記照明器具は、前記明るさセンサまたは前記人感センサが着脱される取り付け部を備え、前記取り付け部に前記明るさセンサが取り付けられている場合、前記重複可否情報は不可を示し、前記設定部が、前記取り付け部に前記明るさセンサが取り付けられた前記照明器具に対して、前記人感センサを対応付ける設定動作を行う場合、前記判断部は設定エラーと判断し、前記報知部を用いて設定エラーを報知すること好ましい。
【発明の効果】
【００１８】
以上説明したように、本発明では、センサを重複設定したくない照明器具に対して、センサの重複設定を防止し、設定エラーを報知することができるという効果がある。
【図面の簡単な説明】
【００１９】
【図１】本発明の実施形態１の照明制御システムのブロック構成図である。
【図２】同上のグループ情報設定のフローチャートである。
【図３】従来の照明制御システムの構成を示す図である。
【図４】実施形態１の照明制御システムの構成を示す図である。
【図５】グループ情報設定を上書き設定する際のフローチャートである。
【図６】実施形態２の照明制御システムのブロック構成図である。
【図７】同上の構成を示す図である。
【図８】従来の照明制御システムの構成を示す図である。
【図９】同上の照明制御システムの構成を示す図である。
【発明を実施するための形態】
【００２０】
以下、本発明の実施の形態を図面に基づいて説明する。
【００２１】
（実施形態１）
本実施形態の照明制御システムのブロック構成図を図１に示す。本実施形態の照明制御システムは、照明器具１と、人感センサ２と、明るさセンサ３と、コントローラ４とで構成される。なお、図１において、照明器具１と人感センサ２と明るさセンサ３とは、１つずつ記載しているが、各々を複数個備えていてもよい。
【００２２】
人感センサ２と明るさセンサ３とは、通信線Ｌ１を介してコントローラ４に接続されており、複数の照明器具１は、通信線Ｌ２を介してコントローラ４に接続されている。なお、本実施形態では、通信線Ｌ１，Ｌ２の２系統を用いて、コントローラ４と照明器具１，人感センサ２，明るさセンサ３とを接続しているが、共通の通信線を用いて１系統で構成してもよい。また、照明器具１とコントローラ４とが別体に構成されているが、照明器具１とコントローラ４とを一体化して構成してもよい。
【００２３】
人感センサ２は、検知部２１と制御部２２と記憶部２３と通信部２４とで構成されている。
【００２４】
検知部２１は、所定の範囲における人の在・不在を検知する。記憶部２３には、自局のアドレスとコントローラ４のアドレスとが格納されている。通信部２４は、コントローラ４と通信するための通信インターフェースであり、通信線Ｌ１を介してコントローラ４に接続されている。そして、制御部２２は、記憶部２３に格納されているコントローラ４のアドレスと自局のアドレスとを取得し、通信部２４を用いて、検知部２１の検知結果に自局のアドレスを付加してコントローラ４に送信する。
【００２５】
明るさセンサ３は、検知部３１と制御部３２と記憶部３３と通信部３４とで構成されている。
【００２６】
検知部３１は、所定の範囲の照度を検知する。記憶部３３には、自局のアドレスとコントローラ４のアドレスとが格納されている。通信部３４は、コントローラ４と通信するための通信インターフェースであり、通信線Ｌ１を介してコントローラ４に接続されている。そして、制御部３２は、記憶部３３に格納されているコントローラ４のアドレスと自局のアドレスとを取得し、通信部３４を用いて、検知部３１の検知結果に自局のアドレスを付加してコントローラ４に送信する。
【００２７】
コントローラ４は、通信部４１ａ，４１ｂと制御部４２と記憶部４３と演算部４４とで構成されている。
【００２８】
通信部４１ａは、人感センサ２および明るさセンサ３と通信するための通信インターフェースであり、通信線Ｌ１を介して人感センサ２および明るさセンサ３と接続されている。また、通信部４１ｂは、照明器具１と接続するための通信インターフェースであり、通信線Ｌ２を介して照明器具１と接続されている。
【００２９】
記憶部４３（第１の記憶部）には、各々の照明器具１に対して、人感センサ２と明るさセンサ３とのうち、少なくとも一方を対応付けたグループ情報が格納されている。具体的には、各照明器具１のアドレスに対して、各人感センサ２と各明るさセンサ３とのうち、少なくとも１つのセンサ種別および、そのセンサのアドレスを対応付けるデータテーブルがグループ情報として格納されている。そして、各人感センサ２に対応付けられた照明器具１で人感センサグループを構成し、各明るさセンサ３に対応付けられた照明器具１で明るさセンサグループを構成している。
【００３０】
演算部４４は、人感センサ２または明るさセンサ３から送信される検知部２１，３１の検知結果に基づいて、照明器具１の点灯制御内容を決定する。
【００３１】
例えば、演算部４４は、人感センサ２の検知部２１が人の存在を検知した場合、この人感センサ２に対応する人感センサグループに属する照明器具１の点灯を決定する。一方、演算部４４は、人感センサ２の検知部２１が人の不在を検知した場合、この人感センサ２に対応する人感センサグループに属する照明器具１の消灯を決定する。
【００３２】
また、演算部４４は、明るさセンサ３の検知部３１が所定値未満の照度を検知した場合、この明るさセンサ３に対応する明るさセンサグループに属する照明器具１の点灯を決定する。一方、演算部４４は、明るさセンサ３の検知部３１が所定値以上の照度を検知した場合、この明るさセンサ３に対応する明るさセンサグループに属する照明器具１の消灯を決定する。また、照明器具１が調光機能を有する場合、明るさセンサ３の検知部３１の検知結果に基づいて、この明るさセンサ３に対応する明るさセンサグループに属する照明器具の調光レベルを決定してもよい。
【００３３】
制御部４２は、演算部４４が決定した点灯制御内容に基づいて点灯制御信号を生成し、通信部４１ｂを用いて照明器具１に送信する。このとき、点灯制御内容が人感センサ２の検知結果に基づいて決定された場合、制御部４２は、この人感センサ２が対応付けられた照明器具１に対して点灯制御信号を送信する。また、点灯制御内容が明るさセンサ３の検知結果に基づいて決定された場合、制御部４２は、この明るさセンサ３に対応付けられた照明器具１に対して点灯制御信号を送信する。
【００３４】
照明器具１は、光源１１と、制御部１２と、信号出力部１３と、点灯部１４と、記憶部１５と、通信部１６と、リモコン受信部１７とで構成されている。
【００３５】
光源１１は、蛍光灯または白熱電球またはＬＥＤまたは有機ＥＬなどで構成されている。
【００３６】
記憶部１５には、自局のアドレスと、コントローラ４のアドレスと、自局に対応付けられているセンサの種別（人感センサ２，明るさセンサ３）と、そのアドレスを示すグループ情報とが格納されている。また、記憶部１５には、自局が人感センサ２と明るさセンサ３との両方に同時に対応付けたグループ情報の設定が可能であるか否かを示す重複可否情報が格納されている。なお、本発明の第１の記憶部は、照明器具１に設けられた記憶部１５と、コントローラ４に設けられた記憶部４３との両方に相当し、第２の記憶部は、照明器具１に設けられた記憶部１５に相当する。
【００３７】
重複可否情報は、各々の照明器具１に対して人感センサ２と明るさセンサ３との両方の設定（以下、重複設定と称す）の可否をユーザーが判断して、記憶部１５に設定する。照明器具１は、リモコン受信部１７を備えており、図示しないリモコンから送信される重複設定可否信号を受信することができる。重複設定可否信号には、重複設定の可否を示す情報が含まれており、制御部１２は受信した重複設定可否信号に基づいて、重複可否情報を記憶部１５に設定する。
【００３８】
通信部１６は、コントローラ４と通信するための通信インターフェースであり、通信線Ｌ２を介してコントローラ４に接続されている。
【００３９】
制御部１２は、マイクロプロセッサまたはロジックＩＣ等で構成され、信号出力部１３と点灯部１４とで点灯制御部１８を構成している。
【００４０】
本実施形態の照明器具１は、リモコンから送信されるモード切替信号を受信することで、モード切替を行うことができる。照明器具１が通常モード状態の場合、以下の点灯制御を行う。制御部１２が、コントローラ４から送信される点灯制御信号を、通信部１６を介して受信すると、点灯制御信号に基づいて調光信号を生成する。そして、制御部１２は信号出力部１３を用いて、調光信号を点灯部１４に送信する。点灯部１４は、信号出力部１３から送信される調光信号に基づいて、光源１１の点灯状態を制御する。
【００４１】
一方、照明器具１が設定モード状態の場合、リモコンから送信されるグループ設定信号が受信可能となり、グループ設定信号に基づいて記憶部１５にグループ情報を設定することができる。グループ設定信号は、人感センサ設定信号と明るさセンサ設定信号とで構成されている。人感センサ設定信号は、送信先の照明器具１のアドレスに対して所定の人感センサ２のアドレスを対応付けたグループ情報（以下、グループ情報「人感センサ２」と称す）の設定を要求する信号である。明るさセンサ設定信号は、送信先の照明器具１のアドレスに対して所定の明るさセンサ３を対応付けたグループ情報（以下、グループ情報「明るさセンサ３」と称す）の設定を要求する信号である。
【００４２】
本実施形態の制御部１２は、設定部１２１を備えている。設定部１２１は、記憶部１５に格納された自局のグループ情報と重複可否情報とを参照し、受信したグループ設定信号に基づいたグループ情報の設定可否を判断する。そして、設定部１２１は、グループ情報の設定が可能であると判断すると、グループ設定信号に基づいたグループ情報を記憶部１５に設定する。
【００４３】
また、設定部１２１は、グループ情報の設定が不可（設定エラー）と判断すると、受信したグループ設定信号を破棄する。さらに、本実施形態の光源１１は、グループ情報の設定エラーを報知する報知部１１としての機能を有している。設定部１２１は、設定エラーと判断した場合、信号出力部１３を用いて光源１１を点滅させる調光信号を点灯部１４に出力し、光源１１を点滅させることで、ユーザーにグループ情報の設定エラーを報知する。
【００４４】
次に、上記グループ情報の設定について、図２に示すフローチャートを用いて説明する。なお、照明器具１，人感センサ２，明るさセンサ３を個別に識別するため、照明器具１ｚ，人感センサ２ｚ，明るさセンサ３ｙ，３ｚと称す。ここでは、例として照明器具１ｚにグループ情報「人感センサ２ｚ」またはグループ情報「明るさセンサ３ｚ」を設定する場合について説明する。
【００４５】
照明器具１ｚが、リモコンから送信されるモード切替信号を受信すると、照明器具１ｚ（制御部１２）は設定モードに移行する（Ｓ１）。制御部１２は、設定モードに移行すると、設定部１２１が記憶部１５を参照し、重複可否情報を確認する。記憶部１５に、重複可否情報「不可」が設定されている場合、以下の制御を行う。
【００４６】
照明器具１ｚは、リモコンから送信されるグループ設定信号を受信する（Ｓ２）。
【００４７】
そして、設定部１２１は、受信したグループ設定信号が、人感センサ設定信号と明るさセンサ設定信号とのうち、いずれの信号であるのかを判断する（Ｓ３）。
【００４８】
受信したグループ設定信号が、グループ情報「人感センサ２ｚ」の設定を要求する人感センサ設定信号である場合、設定部１２１は記憶部１５を参照し、グループ情報「明るさセンサ３」が既に設定されているか否かを確認する（Ｓ４）。
【００４９】
記憶部１５に、グループ情報「明るさセンサ３」が設定されていない場合、設定部１２１は、グループ情報「人感センサ２ｚ」の設定が可能と判断する。そして、設定部１２１は、自局（照明器具１ｚ）のアドレスに人感センサ２ｚのアドレスを対応付けたグループ情報「人感センサ２ｚ」を、記憶部に設定する（Ｓ５）。さらに、設定部１２１は、グループ情報「人感センサ２ｚ」を含む設定要求信号をコントローラ４に送信する。そして、コントローラ４に設けられた制御部４２は、受信した設定要求信号に基づいて、グループ情報「人感センサ２ｚ」を記憶部４３に設定する。
【００５０】
一方、記憶部１５に、グループ情報「明るさセンサ３」が既に設定されている場合、設定部１２１は、グループ情報「人感センサ２ｚ」の設定を不可と判断する（Ｓ６）。そして、設定部１２１は受信した人感センサ設定信号を破棄し、制御部１２は光源１１を点滅させることでユーザーにグループ情報「人感センサ２ｚ」の設定エラーを報知する。
【００５１】
上記制御によって、重複可否情報「不可」が設定され、既にグループ情報「明るさセンサ３」が設定されている照明器具１ｚに対して、グループ情報「人感センサ２ｚ」を重複して設定することを防止することができる。
【００５２】
次に、ステップＳ３において、受信したグループ設定信号が、グループ情報「明るさセンサ３ｚ」の設定を要求する明るさセンサ設定信号である場合について説明する。この場合、設定部１２１は、記憶部１５を参照し、グループ情報「人感センサ２」が既に設定されているか否かを確認する（Ｓ７）。
【００５３】
記憶部１５に、グループ情報「人感センサ２」が既に設定されている場合、設定部１２１は、グループ情報「明るさセンサ３ｚ」の設定を不可と判断する（Ｓ８）。そして、設定部１２１は明るさセンサ設定信号を破棄し、制御部１２は光源１１を点滅させることでユーザーにグループ情報の設定エラーを報知する。
【００５４】
上記制御によって、重複可否情報「不可」が設定され、既にグループ情報「人感センサ２」が設定されている照明器具１ｚに対して、グループ情報「明るさセンサ３ｚ」を重複して設定することを防止することができる。
【００５５】
一方、記憶部１５に、グループ情報「人感センサ２」が設定されていない場合、設定部１２１は、記憶部１５を参照し、グループ情報「明るさセンサ３」が既に設定されているか否かを確認する（Ｓ９）。
【００５６】
記憶部１５に、明るさ設定信号が設定要求するグループ情報「明るさセンサ３ｚ」とは異なるグループ情報「明るさセンサ３ｙ」が既に設定されている場合、設定部１２１は、グループ情報「明るさセンサ３ｚ」の設定を不可と判断する（Ｓ８）。そして、設定部１２１は明るさ設定信号を破棄し、制御部１２は光源１１を点滅させることでユーザーにグループ情報の設定エラーを報知する。
【００５７】
上記制御によって、１つの照明器具１ｚに対して、異なる複数の明るさセンサを対応付けるグループ情報「明るさセンサ３」を重複して設定すること防止することができる。
【００５８】
一方、記憶部１５に、グループ情報「明るさセンサ３ｙ」が設定されていない場合、すなわち、記憶部１５にグループ情報が設定されていない場合、設定部１２１は、グループ情報「明るさセンサ３ｚ」の設定が可能と判断する。そして、設定部１２１は、自局（照明器具１ｚ）のアドレスに明るさセンサ３ｚのアドレスを対応付けたグループ情報「明るさセンサ３ｚ」を記憶部１５に設定する（Ｓ１０）。さらに、設定部１２１は、グループ情報「明るさセンサ３ｚ」を含む設定要求信号をコントローラ４に送信する。そして、コントローラ４に設けられた制御部４２は、受信した設定要求信号に基づいて、グループ情報「明るさセンサ３ｚ」を記憶部４３に設定する。
【００５９】
また、記憶部１５に、重複可否情報「可」が設定されている場合、上記フローチャートに沿った制御は行われない（図２参照）。この場合、１つの照明器具１ｚに対して、人感センサ２ｚと明るさセンサ３ｚとの両方に対応付けるグループ情報「人感センサ２ｚ・明るさセンサ３ｚ」の重複設定が可能となる。
【００６０】
なお、記憶部１５に重複可否情報「可」が設定されている場合であっても、１つ照明器具１ｚに対して、異なる複数の明るさセンサ３を対応付けるグループ情報「明るさセンサ３」を重複して設定することはできない。記憶部１５に、明るさ設定信号が設定要求するグループ情報「明るさセンサ３ｚ」とは異なるグループ情報「明るさセンサ３ｙ」が既に設定されている場合、設定部１２１は、グループ情報「明るさセンサ３ｚ」の設定を不可と判断する。そして、設定部１２１は明るさ設定信号を破棄し、制御部１２は光源１１を点滅させることでユーザーにグループ情報の設定エラーを報知する。
【００６１】
従来の照明制御システムは、１つの照明器具に対して、異なる複数の明るさセンサを対応付けるグループ情報を設定することが可能であった。そのため、図３に示すように、同一の明るさセンサグループ１０２Ｅ内に属する照明器具１０３ｈに対して、異なる２つの明るさセンサ１０２ｅ，１０２ｆを対応付けるグループ情報が設定される場合、照明器具１０３ｈの調光レベルが安定しないという問題があった。例えば、２つの明るさセンサ１０２ｅ，１０２ｆの検知レベルが互いに異なる場合、一方の明るさセンサ１０２ｅは照明器具１０３ｈの調光レベルを上げる動作を行い、他方の明るさセンサ１０２ｆは照明器具１０３ｈの調光レベルを下げる動作を行うおそれがある。それによって、照明器具１０３ｈの調光レベルが安定しなくなる。
【００６２】
したがって、ユーザーは１つの照明器具１０３に対して、異なる２つの明るさセンサ１０２を対応付けるグループ情報を設定しないように注意する必要があった。また、コントローラ１０４が、両者の明るさセンサ１０２ｅ，１０２ｆの検知結果を平均化して、照明器具１０３ｈの調光レベルを決定することは可能であるが、信号処理の複雑化または通信トラフィックの増大化によって、制御不能となるおそれがある。
【００６３】
しかし、本実施形態の照明制御システムは、１つの照明器具１に対して、異なる複数の明るさセンサ３を対応付けるグループ情報を設定することができないので、上記問題を解消することができ、照明器具１の調光レベルを安定させることができる。
【００６４】
本実施形態の照明制御システムを用いた照明器具１の配置例を図４に示す。
【００６５】
図４に示す照明制御システムは、３つの部屋６ａ〜６ｃと廊下６ｄにわたって設けられている。コントローラ４に対して、複数の照明器具１と、４つの人感センサ２ａ〜２ｄと、３つの明るさセンサ３ａ〜３ｃと、３つのスイッチ５ａ〜５ｃとが接続されている。なお、照明器具１をグループ毎に識別する場合、照明器具１ａ〜１ｆと称す。部屋６ａには、９つの照明器具１ａと明るさセンサ３ａとスイッチ５ａが設けられている。同様に、部屋６ｂ，６ｃには、９つの照明器具１ｂ，１ｃと明るさセンサ３ｂ，３ｃとスイッチ５ｂ，５ｃが設けられている。また、廊下６ｄには、照明器具１ｄ，１ｅ，１ｆと人感センサ２ａ，２ｂ，２ｃ，２ｄが設けられている。また、部屋６ａ〜６ｃには外に面する窓７ａ〜７ｃが設けられており、部屋６ａ，６ｂと廊下６ｄとの間には、窓７ｄ，７ｅが設けられている。
【００６６】
また、９つの照明器具１ａは、スイッチグループ５Ａに属しており、スイッチ５ａの操作に応じてコントローラ４から送信される点灯制御信号によって点灯制御（点灯・消灯）される。同様に、９つの照明器具１ｂ，１ｃは、スイッチグループ５Ｂ，５Ｃに属しており、スイッチ５ｂ，５ｃの操作によって点灯制御される。
【００６７】
また、部屋６ａ内の照明器具１ａと、部屋６ａの窓７ｄに面した廊下６ｄ内の照明器具１ｄとは、グループ情報「明るさセンサ３ａ」が設定されており、明るさセンサグループ３Ａを構成している。同様に、部屋６ｂ内の照明器具１ｂと、部屋６ｂの窓７ｅに面した廊下６ｄ内の照明器具１ｅとは、グループ情報「明るさセンサ３ｂ」が設定されており、明るさセンサグループ３Ｂを構成している。また、部屋６ｃ内の照明器具１ｃは、グループ情報「明るさセンサ３ｃ」が設定されており、明るさセンサグループ３Ｃを構成している。また、廊下６ｄ内の照明器具１ｄ，１ｅ，１ｆは、各々にグループ情報「人感センサ２ａ，１ｂ，２ｃ，２ｄ」が設定されており、人感センサグループ２Ａを構成している。
【００６８】
ここで、ユーザーは、明るさセンサグループ３Ａ，３Ｂ，３Ｃにのみ属する照明器具１ａ，１ｂ，１ｃに対して、重複可否情報「不可」を設定する。そのため、照明器具１ａ，１ｂ，１ｃに対して、ユーザーが誤ってグループ情報「人感センサ２ａ，２ｂ，２ｃ，２ｄ」を設定することを防止し、ユーザーに対して設定エラーを報知することができる。
【００６９】
このように、本実施形態の照明制御システムでは、重複可否情報「不可」が設定された照明器具１に対して、グループ情報「人感センサ２」とグループ情報「明るさセンサ３」とのうち、いずれか一方のみを設定することができる。さらに、照明器具１に対して、グループ情報「人感センサ２」とグループ情報「明るさセンサ３」と重複設定および、異なる複数の明るさセンサ３を対応付ける設定のような不適切なグループ情報の設定を防止し、設定エラーをユーザーに報知することができる。
【００７０】
一方、ユーザーは、人感センサグループ２Ａに属する照明器具１ｄ，１ｅ，１ｆに対して、重複可否情報「可」を設定する。それによって、照明器具１ｄは明るさセンサグループ３Ａと人感センサグループ２Ａとの重複設定、照明器具１ｅは明るさセンサグループ３Ｂと人感センサグループ２Ａとの重複設定が可能となる。したがって、グループ情報の設定に対する制約がなく、より柔軟にグループ情報の設定を行うことができる。
【００７１】
上記のように、本実施形態の照明制御システムは、人感センサ２と明るさセンサ３によって、人が存在する場合または暗くなった場合に照明器具１を点灯させることで省エネルギー性を得ることができる。さらに、センサの重複設定など、不適切なグループ情報の設定によって、照明器具１の点灯状態が不安定になることを防止することによる快適性を得ることができる。
【００７２】
さらに、本実施形態の照明器具１は、リモコンから送信されるモード切替信号を受信すると、記憶部１５，４３に設定されているグループ情報を上書きする修正モードに移行することができる。以下に、図５に示すフローチャートを用いて、修正モードについて説明する。ここでは、例として照明器具１ｚに人感センサ２ｚまたは明るさセンサ３ｚを対応付けるグループ情報を上書き設定する場合について説明する。
【００７３】
照明器具１が、リモコンから送信されるモード切替信号を受信すると、照明器具１ｚ（制御部１２）は修正モードに移行する（Ｓ１１）。設定部１２１は、修正モードに移行した場合、重複可否情報の確認を行わない。
【００７４】
修正モードに移行した照明器具１ｚは、リモコンから送信されるグループ設定信号を受信する（Ｓ１２）。
【００７５】
そして、設定部１２１は、受信したグループ設定信号が、人感センサ設定信号と明るさセンサ設定信号とのうち、いずれの信号であるのかを判断する（Ｓ１３）。
【００７６】
受信したグループ設定信号が、人感センサ設定信号である場合、設定部１２１は記憶部１５に既に設定されているグループ情報を破棄すると共に、グループ情報「人感センサ２ｚ」を、記憶部１５に設定する（Ｓ１４）。さらに、設定部１２１は、グループ情報「人感センサ２ｚ」を含む設定要求信号をコントローラ４に送信する。そして、コントローラ４に設けられた制御部４２は、受信した設定要求信号に基づいて、グループ情報「人感センサ２ｚ」を記憶部４３に設定する。
【００７７】
また、受信したグループ設定信号が、明るさセンサ設定信号である場合、設定部１２１は記憶部１５に既に設定されているグループ情報を破棄すると共に、グループ情報「明るさセンサ３ｚ」を、記憶部１５に設定する（Ｓ１５）。さらに、設定部１２１は、グループ情報「明るさセンサ３ｚ」を含む設定要求信号をコントローラ４に送信する。そして、コントローラ４に設けられた制御部４２は、受信した設定要求信号に基づいて、グループ情報「明るさセンサ３ｚ」を記憶部４３に設定する。
【００７８】
このように、照明器具１ｚを修正モードに移行させることで、記憶部１５，４３に設定されているグループ情報を容易に書き換えることができる。
【００７９】
なお、本実施形態では、照明器具１がリモコンから送信されるモード切替信号を受信した場合、照明器具１が通常モード・設定モード・修正モードに移行する。しかし、通信線Ｌ１または通信線Ｌ２に設定器を接続し、この設定器を用いて照明器具１を通常モード・設定モード・修正モードに移行させるように構成してもよい。また、コントローラ４にモード切替信号を受信する受信部を設け、モード切替信号を受信したコントローラ４が照明器具１を通常モード・設定モード・修正モードに移行させるように構成してもよい。
【００８０】
また、本実施形態では、設定部１２１がグループ情報の設定を不可と判断した場合、設定部１２１が設けられている照明器具１の光源１１を点滅させることで、設定エラーをユーザーに報知している。しかし、設定部１２１がグループ情報の設定を不可と判断した場合、設定部１２１は、コントローラ４に設定不可信号を送信するように構成してもよい。コントローラ４は、設定不可信号を受信すると、光源１１の点滅を指示する点灯制御信号をコントローラ４に接続された全ての照明器具１に送信し、全ての照明器具１の光源１１を点滅させることで、設定エラーを報知する。また、照明器具１やコントローラ４に、報知部としてブザーやＬＥＤなどを設けてもよい。設定部１２１がグループ情報の設定を不可と判断した場合、ブザーを駆動してエラー音を発生させたり、ＬＥＤを点灯させたりすることで、ユーザーに設定エラーを報知するように構成してもよい。
【００８１】
また、本実施形態では、第１の記憶部を別体（記憶部１５，４３）に構成しているが、同一に構成してもよい。この場合、記憶部４３に記憶部１５が設けられ、制御部４２に設定部１２１が設けられる。
【００８２】
また、第１の記憶部と第２の記憶部とを同一に構成（記憶部１５）しているが、別体に構成してもよい。
【００８３】
（実施形態２）
本実施形態の照明器具１および明るさセンサ３のブロック構成図を図６に示す。なお、実施形態１と同様の構成には、同一符号を付して説明は省略する。
【００８４】
本実施形態の照明器具１および明るさセンサ３には、互いを着脱自在に構成する取り付け部１９，３５を備えている。なお、図６には明るさセンサ３のブロック構成図を示しているが、人感センサ２も明るさセンサ３と同様に、照明器具１と着脱自在に構成される取り付け部を備えている。
【００８５】
制御部１２は、取り付け部１９に取り付けられるセンサの着脱状態を、センサ情報信号によって監視している。取り付け部１９にセンサ（人感センサ２または明るさセンサ３）が取り付けられると、照明器具１からセンサに電源供給される。センサ（人感センサ２または明るさセンサ３）は、電源供給されると、制御部１２に自局のセンサ種別とアドレスとが含まれるセンサ情報信号を送信する。制御部１２は、センサ情報信号を受信することで、取付部１９にセンサ（人感センサ２または明るさセンサ３）が取り付けられていることを認識する。さらに、設定部１２１は、センサ情報信号に基づいて、自局のアドレスに対して、取付部１９に取り付けられているセンサの種別と、そのセンサのアドレスとを対応付けたグループ情報を記憶部１５に設定する。そして、このグループ情報を含む設定要求信号をコントローラ４に送信して、このグループ情報を記憶部４３に設定する。すなわち、本実施形態では、取り付け部１９にセンサが取り付けられた場合、自動的にグループ情報が設定される。
【００８６】
また、照明器具１に取り付けられている人感センサ２または明るさセンサ３の検知部２１，３１の検知結果は、照明器具１を介してコントローラ４に送信される。
【００８７】
また、制御部１２に設けられている設定部１２１は、取り付け部１９に明るさセンサ３が取り付けられている場合、重複可否情報「不可」を記憶部１５に設定する。一方、取り付け部１９に人感センサ２が取り付けられている場合、および人感センサ２も明るさセンサ３も取り付けられていない場合、設定部１２１は、重複可否情報「可」を記憶部１５に設定する。このように、設定部１２１が重複設定の可否を判断して記憶部１５に重複可否情報を自動的に設定するので、ユーザーが重複可否情報を手動で設定する必要がない。
【００８８】
なお、取り付け部１９に人感センサ２が取り付けられている照明器具１にグループ情報の重複設定を行う場合、およびセンサが取り付けられていない照明器具１にグループ情報の設定を行う場合、実施形態１と同様に、リモコンを用いてグループ情報の設定を行う。
【００８９】
本実施形態の照明制御システムを用いた照明器具１の配置例を図７に示す。
【００９０】
図７に示す照明制御システムは、部屋６ｅに設けられている。部屋６ｅ内に１２個の照明器具１が４行×３列に並設されている。なお、照明器具１を個別に識別する場合、照明器具１０ａ〜１０ｌと称す。
【００９１】
窓７ｆ近傍に設けられた１行目の照明器具１０ａ，１０ｂ，１０ｃのうち、中央の照明器具１０ｂに明るさセンサ３ｄが取り付けられており、明るさセンサ３ｄは、窓７ｆを介して照射される外光による照度を検知することができる。また、照明器具１０ｂには、グループ情報「明るさセンサ３ｄ」と重複可否情報「不可」とが自動的に設定される。
【００９２】
また、窓７ｆから離れて設けられた２〜４行目の照明器具１０ｄ〜１０ｌのうち、照明器具１０ｄ，１０ｆ，１０ｈ，１０ｊ，１０ｌには、人感センサ２ｅ，２ｆ，２ｇ，２ｈ，２ｉが取り付けられている。また、照明器具１０ｄには、グループ情報「人感センサ２ｅ」が自動的に設定される。同様に、照明器具１０ｆ，１０ｈ，１０ｊ，１０ｉには、自局に取り付けられている人感センサ２ｆ，２ｇ，２ｈ，２ｉが対応付けられたグループ情報「人感センサ２ｆ，２ｇ，２ｈ，２ｉ」が自動的に設定される
そして、ユーザーは、１〜３行目の照明器具１０ａ〜１０ｉのうち、明るさセンサ３ｄが取り付けられていない照明器具１０ａ，１０ｃ〜１０ｉに対して、実施形態１と同様にリモコンを用いてグループ情報「明るさセンサ３ｄ」を設定する。それによって、照明器具１０ａ〜１０ｉは、明るさセンサグループ３Ｄに属し、明るさセンサ３ｄの検知結果に基づいて点灯制御される。
【００９３】
また、ユーザーは、２〜４行目の照明器具１０ｄ〜１０ｌのうち、人感センサ２ｅ〜２ｉが取り付けられていない照明器具１０ｅ，１０ｇ，１０ｉ，１０ｋに対して、リモコンを用いてグループ情報「人感センサ２ｅ，２ｆ，２ｇ，２ｈ，２ｉ」を設定する。さらに、ユーザーは、人感センサ２ｅが取り付けられている照明器具１０ｄに対して、リモコンを用いて、自局に取り付けられていない人感センサ２ｆ，２ｇ，２ｈ，２ｉが対応付けられたグループ情報「人感センサ２ｆ，２ｇ，２ｈ，２ｉ」を重複して設定する。同様に、ユーザーは、照明器具１０ｆ，１０ｈ，１０ｊ，１０ｌに対して、自局に取り付けられていない人感センサ２が対応付けられたグループ情報「人感センサ２」を重複して設定する。それによって、照明器具１０ｄ〜１０ｌは、人感センサグループ２Ｂに属し、人感センサ２ｅ〜２ｉの検知結果に基づいて点灯制御される。すなわち、人感センサ２ｅ〜２ｉのうち、１つでも人の存在を検知すると、コントローラ４は、人感センサグループ２Ｂに属する照明器具１０ｄ〜１０ｌは点灯させる。
【００９４】
明るさセンサ３ｄが取り付けられている照明器具１０ｂ以外の照明器具１０ａ，１０ｃ〜１０ｌは、重複可否情報「可」が自動的に設定されており、２，３行目の照明器具１０ｄ〜１０ｉは、明るさセンサグループ３Ｄと人感センサグループ２Ｂとの両方に属している。
【００９５】
また、明るさセンサ３ｄが取り付けられた照明器具１０ｂに対して、明るさセンサグループ３Ｄと人感センサグループ２Ｂとの両方に属するグループ情報を設定した場合、以下の問題がある。照明器具１０ｂが人感センサ２ｅ〜２ｉの検知結果によって点灯制御されると、照明器具１０ｂが照射する光による照度の変化を明るさセンサ３ｄが検知し、明るさセンサグループ３Ｄに属する照明器具１０ａ〜１０ｉの点灯状態が不安定になるという問題がある。
【００９６】
しかし、本実施形態では、照明器具１０ｂに対して、重複可否情報「不可」が自動的に設定されるので、ユーザーが誤ってグループ情報「人感センサ２ｅ〜２ｉ」を設定することを防止し、設定エラーを報知することができる。したがって、明るさセンサグループ３Ｄに属する照明器具１０ａ〜１０ｉの点灯状態が不安定になることを防止することができる。
【００９７】
さらに、本実施形態では、明るさセンサ３が取り付けられた照明器具１には重複可否情報「不可」が自動的に設定され、人感センサ２が取り付けられた照明器具１およびセンサが取り付けられていない照明器具１には重複可否情報「可」が自動的に設定される。そのため、ユーザーが重複可否情報を手動で設定する必要がなくなり、工数を削減することができる。
【符号の説明】
【００９８】
１    照明器具
２    人感センサ
３    明るさセンサ
４    コントローラ
１１  光源
１２  制御部
１５  記憶部
１８  点灯制御部
４２  制御部
４３  記憶部
４４  演算部
１２１  設定部
【図１】
2012069291.tif 000003
【図２】
2012069291.tif 000004
【図３】
2012069291.tif 000005
【図４】
2012069291.tif 000006
【図５】
2012069291.tif 000007
【図６】
2012069291.tif 000008
【図７】
2012069291.tif 000009
【図８】
2012069291.tif 000010
【図９】
2012069291.tif 000011